(57)【要約】【課題】蓋部材の撓み強度を向上させ、且つ、確実に蓋部材の開閉検知を行うことができる構造を有する電子機器を提供する。【解決手段】電子機器は、メモリカードが挿入されるカードスロット１３ａ，１３ｂが実装される基板１４と、カードスロット１３ａ，１３ｂの挿入口を同時に露出させるための開口部９を有する外装カバー８と、開口部９を開閉するカード蓋１とを有する。基板１４はカードスロット１３ａ，１３ｂの間に形成されたスリット１１を有し、カード蓋１の開閉状態を検知する開閉検知スイッチ１５を備える。カード蓋１は開口部９を閉じたときにスリット１１に挿入される補強用のリブ５を有する。開閉検知スイッチ１５は、スリット１１にリブ５が挿入された状態でカード蓋１が開口部９を閉じた状態を、スリット１１にリブ５が挿入されていない状態でカード蓋１が開口部を開いた状態を検知する。【選択図】図２
2012129620.tif 000002
【特許請求の範囲】
【請求項１】
複数のスロットが並べて実装される基板と、
前記複数のスロットの挿入口を同時に露出させるための開口部を有する外装カバーと、
前記外装カバーの前記開口部を開閉する蓋部材と、
前記基板に実装され、前記蓋部材の開閉状態を検知する開閉検知スイッチと、を備え、
前記基板は、前記複数のスロットの間に形成されたスリットを有し、
前記蓋部材は、前記蓋部材が前記開口部を閉状態にしたときに前記スリットに挿入されるリブを有し、
前記開閉検知スイッチは、前記スリットに前記リブが挿入された状態で前記蓋部材により前記開口部が閉状態にあることを検知し、前記スリットに前記リブが挿入されていない状態で前記蓋部材により前記開口部が開状態にあることを検知することを特徴とする電子機器。
【請求項２】
前記開閉検知スイッチは、前記基板において前記スロットが実装されている面とは反対側の面に実装されていることを特徴とする請求項１記載の電子機器。
【請求項３】
前記リブは、前記蓋部材の長手方向中央の位置に形成されていることを特徴とする請求項１又は２記載の電子機器。
【請求項４】
前記蓋部材は、回動動作によって前記開口部の開閉を行うことを特徴とする請求項１乃至３のいずれか１項に記載の電子機器。
【請求項５】
前記蓋部材は、スライド動作によって前記開口部の開閉を行うことを特徴とする請求項１乃至３のいずれか１項に記載の電子機器。
【発明の詳細な説明】
【技術分野】
【０００１】
本発明は電子機器に関し、特に、電子機器に記録媒体等の部品を着脱する際に用いられる開閉可能な蓋部材の構造に関する。
【背景技術】
【０００２】
近年、ＳＤカード等の記録媒体が着脱可能な電子機器が広く普及してきている。このような電子機器は、記録媒体へのアクセス中にその記録媒体が取り外された場合、記録媒体に記憶されているデータが破損する可能性があるため、一般的にアクセス中に記録媒体を取り外すことができない構造が採用されている。
【０００３】
例えば、記録媒体を収容するスロットの挿入口を覆う回動可能なカード蓋と、このカード蓋に設けられたスイッチ押し部と、電子機器の内部に設けられ、スイッチ押し部が押される度にＯＮ／ＯＦＦが切り替わる検知スイッチとを有する電子機器が提案されている。この電子機器では、検知スイッチによりカード蓋の開閉状態が検知され、カード蓋が閉じていると検知されている場合にのみ、電子機器に収容されている記録媒体を取り出すことができる構造となっている（特許文献１参照）。
【先行技術文献】
【特許文献】
【０００４】
【特許文献１】特開２０００−１６５７１４号公報
【発明の概要】
【発明が解決しようとする課題】
【０００５】
ここで、記録媒体には規格や形状が異なる複数の種類があるため、これらを収容することができるように、また、大きな記憶容量を確保することができるように、最近では、複数種や複数枚の記録媒体を収容することができる電子機器が普及してきている。そして、今後、複数のカードスロットを搭載した電子機器は益々増えてくるものと思われる。
【０００６】
そこで、一例として、２つのカードスロットを並べて配置したダブルスロット形式の電子機器に対して、特開２０００−１６５７１４号公報に記載されている技術を適用した構成を考え、その場合の構成例を表した斜視図を図７に示す。図７に示される電子機器１０１は、並べて配置された２つのカードスロット１０２ａ，１０２ｂを備えており、カード蓋（蓋部材）１０３は、β軸を回転軸として電子機器１０１の本体に回動可能に取り付けられている。
【０００７】
カード蓋１０３の開閉検知は、電子機器１０１の孔部１０５の奥に配置された検知スイッチ（不図示）により行われる。カード蓋１０３が閉じられたときにカード蓋１０３に設けられた検知スイッチ押し部１０４が検知スイッチを押すことにより、検知スイッチはカード蓋１０３が閉じたことを認識する。なお、カード蓋１０３の開閉は、電子機器１０１の操作者が、指かけ部１０６に指先（爪等）を引っ掛けて引っ張ることにより行われる。
【０００８】
この例のように並べて配置された２つのカードスロット１０２ａ，１０２ｂを１つのカード蓋１０３で覆うようにすると、カード蓋１０３の横幅が長くなってしまい、カード蓋１０３の撓み強度が弱くなってしまう。また、カード蓋１０３に設けられた検知スイッチ押し部１０４の指かけ部１０６からの長さＬが長くなると、カード蓋１０３の開閉操作時のガタつきが大きくなる。これにより、カード蓋１０３の検知スイッチ押し部１０４と不図示の検知スイッチとの位置ずれが発生し、検知スイッチの押し不良が発生するおそれがある。
【０００９】
本発明は、蓋部材の撓み強度を向上させ、且つ、確実に蓋部材の開閉検知を行うことができる構造を有する電子機器を提供することを目的とする。
【課題を解決するための手段】
【００１０】
本発明に係る電子機器は、複数のスロットが並べて実装される基板と、前記複数のスロットを露出させるための開口部を有する外装カバーと、前記外装カバーの前記開口部を開閉する蓋部材と、前記基板に実装され、前記蓋部材の開閉状態を検知する開閉検知スイッチと、を備え、前記基板は、前記複数のスロットの間に形成されたスリットを有し、前記蓋部材は、前記蓋部材が前記開口部を閉状態にしたときに前記スリットに挿入されるリブを有し、前記開閉検知スイッチは、前記スリットに前記リブが挿入された状態で前記蓋部材により前記開口部が閉状態にあることを検知し、前記スリットに前記リブが挿入されていない状態で前記蓋部材により前記開口部が開状態にあることを検知することを特徴とする。
【発明の効果】
【００１１】
本発明によれば、蓋部材の撓み強度を向上させることができ、且つ、確実に蓋部材の開閉検知を行うことができる。
【図面の簡単な説明】
【００１２】
【図１】本発明の実施形態に係る電子機器の構成を示す分解斜視図である。
【図２】図１に示される電子機器の構成を図１に示される矢印Ｂ方向から見た分解斜視図である。
【図３】図１，２に示される各種の部品を組み付けた状態を、カード蓋により外装カバーの開口部が閉じられている閉状態のときに、外装カバー側から見た斜視図である。
【図４】図１，２に示される各種の部品を組み付けた状態を、カード蓋により外装カバーの開口部が閉じられている閉状態のときに、基板側から見た斜視図（ａ）、及び、（ａ）中のＣ部の詳細図（ｂ）である。
【図５】図１，２に示される各種の部品を組み付けた状態を、カード蓋により外装カバーの開口部が開かれている開状態のときに、外装カバー側から見た斜視図である。
【図６】図１，２に示される各種の部品を組み付けた状態を、カード蓋により外装カバーの開口部が開かれている開状態のときに、基板側から見た斜視図（ａ）、及び、（ａ）中のＤ部の詳細図（ｂ）である。
【図７】ダブルスロット形式の電子機器に対して従来技術を適用した構成例を示す斜視図である。
【発明を実施するための形態】
【００１３】
以下、本発明の実施形態に係る電子機器について、添付図面を参照して詳細に説明する。本実施形態では、電子機器としてデジタルビデオカメラやデジタルカメラを想定し、デジタルビデオカメラに記録媒体（メモリカード）を着脱する部位について詳細に説明する。但し、本発明に係る電子機器はこれらに限定されるものではなく、電子機器に対して着脱される部品もメモリカードに限定されるものではない。
【００１４】
図１は、本発明の実施形態に係る電子機器の構成を示す分解斜視図であり、図２は、図１に示される電子機器の構成を図１に示される矢印Ｂ方向から見た分解斜視図である。電子機器は、大略的に、外装カバー８、カード蓋１、ホルダー１０及び基板１４を備えている。
【００１５】
外装カバー８は、メモリカードを収容するために基板１４に設けられたカードスロット１３ａ，１３ｂの挿入口を同時に露出させるために設けられており、且つ、蓋部材であるカード蓋１によって開閉される開口部９を有している。外装カバー８はまた、カード蓋１を回転自在に取り付けるための軸受け２９ａ，２９ｂを有している。外装カバー８はさらに、取り付けられたカード蓋１を開く際に指かけ部として用いられる凹部２８と、基板１４及びホルダー１０を取り付けるための位置決めピン１９ａ，１９ｂ及びビスボス２６ａ，２６ｂを有している。
【００１６】
カード蓋１は、カード蓋１を回動させるための回転軸部２ａ，２ｂを有しており、回転軸部２ａ，２ｂは、共にα軸上に設けられ、外装カバー８に設けられた軸受け２９ａ，２９ｂとホルダー１０に設けられた軸受け７ａ，７ｂとに挟み込まれて、保持される。カード蓋１の長手方向端（α軸方向端）にはカード蓋リブ３ａ，３ｂが設けられており、カード蓋リブ３ａ，３ｂを挟んで回転軸部２ａ，２ｂと対向する側には、クリックバネ１８ａ，１８ｂ（後述する）へのバネ当て部４ａ，４ｂが形成されている。カード蓋１の長手方向中央の位置には、カード蓋１の撓みを低減するための補強用のリブ５が形成されている。補強用のリブ５のリブ先端部６は、後述するように、カード蓋１の開閉を検知するために基板１４に配置された開閉検知スイッチ１５を押すための押し部として機能する。
【００１７】
ホルダー１０は、外装カバー８に対するカード蓋１の位置を規制する部品であり、前述したように、外装カバー８に設けられた軸受け２９ａ，２９ｂと共にカード蓋１の回転軸部２ａ，２ｂを挟み込むための軸受け７ａ，７ｂを有している。ホルダー１０はまた、カード蓋１に形成されている補強用のリブ５の幅よりも広い幅を有するスリット穴１２と、スリット穴１２の周囲を補強するリブ３０とを有している。ホルダー１０はさらに、外装カバー８に設けられた位置決めピン１９ａ，１９ｂに挿通される位置決め穴２０ａ，２０ｂと、外装カバー８に設けられたビスボス２６ａ，２６ｂでビス留めするためのビス穴２３ａ，２３ｂを有している。
【００１８】
基板１４における外装カバー８側の面には、メモリカードを収容するためのカードスロット１３ａ，１３ｂが、カード挿入方向がγ方向となるように、並べて実装されている。なお、カードスロット１３ａ，１３ｂはそれぞれプッシュオン・プッシュオフ機構等のメモリカードの着脱を行うための機構を備えている。図５，６を参照して後述するように、外装カバー８の開口部９が開状態となっている状態で、電子機器の操作者は、カードスロット１３ａ，１３ｂに対するメモリカードの着脱操作を行うことができる。
【００１９】
基板１４における外装カバー８側の面とは反対側の面には、カード蓋１の開閉状態を検知するための開閉検知スイッチ１５及びコネクタ１６が実装されている。基板１４には、カードスロット１３ａ，１３ｂの間の位置にスリット１１が設けられており、開閉検知スイッチ１５のスイッチ先端部１５ａがスリット１１側に突出しており、Ｙ方向に押し込まれることによって開閉検知スイッチ１５はＯＮとなる。なお、開閉検知スイッチ１５のスイッチ先端部１５ａは、カード蓋１により外装カバー８の開口部９が閉状態となっているときに、補強用のリブ５のリブ先端部６によりＹ方向に押し込まれる。
【００２０】
コネクタ１６にはフレキ１７が接続されており、カードスロット１３ａ，１３ｂを通じてメモリカードから取得した情報等を電子機器の本体の内部に組み込まれた制御部（不図示）に送り、逆に、メモリカードに情報を記憶させることができるようになっている。基板１４には、ホルダー１０と同様に、外装カバー８に対する位置決めと固定を行うための位置決め穴２１ａ，２１ｂ及びビス穴２４ａ，２４ｂが設けられている。
【００２１】
基板１４における外装カバー８側の面とは反対の面には、金属板で構成されたクリックバネ（板バネ）１８ａ，１８ｂが取り付けられる。クリックバネ１８ａ，１８ｂはそれぞれ、位置決め穴２２ａ，２２及びビス穴２５ａ，２５ｂを有しており、ホルダー１０及び基板１４と共に、外装カバー８に対して位置決めされ、固定される。クリックバネ１８ａ，１８ｂは、カード蓋１の開閉時にカード蓋リブ３ａ，３ｂに当接してチャージされることにより、カード蓋１にクリック力を持たせる役割を果たす。
【００２２】
図１，２に示される各種の部品を組み付けた状態（以下「組み付け状態」という）を図３乃至図６に示す。図３は、カード蓋１により外装カバー８の開口部９が閉じられている閉状態のときに、組み付け状態を外装カバー８側から見た斜視図である。図４は、外装カバー８の開口部９が閉状態のときに、組み付け状態を基板１４側から見た斜視図［図４（ａ）］と、図４（ａ）中のＣ部の詳細図［図４（ｂ）］である。図５は、カード蓋１により外装カバー８の開口部９が開かれている開状態のときに、組み付け状態を外装カバー８側から見た斜視図である。図６は、外装カバー８の開口部９が開状態のときに、組み付け状態を基板１４側から見た斜視図［図６（ａ）］と、図６（ａ）中のＤ部の詳細図［図６（ｂ）］である。
【００２３】
図４に示される閉状態では、カード蓋１のリブ先端部６が、ホルダー１０のスリット穴１２を通して基板１４のスリット１１に挿入され、スイッチ先端部１５ａをＹ方向に押し込んだ状態となっている。こうして開閉検知スイッチ１５が押された状態（すなわちＯＮ状態）のとき、電子機器の本体の内部に組み込まれた制御部（不図示）は、カード蓋１が閉じられていると認識し、カードスロットに挿入されたメモリカード（不図示）に対してアクセス可能となる。
【００２４】
図３，４に示される閉状態から図５，６に示される開状態にするには、図３の指かけ部２８に指（指先）を挿し込み、カード蓋１をＸ方向に回動させればよい。図５，６に示される開状態では、リブ先端部６はスイッチ先端部１５ａへ届いておらず、よって、開閉検知スイッチ１５はＯＦＦの状態となっている。このとき、制御部（不図示）は、カード蓋１が開いていると認識し、カードスロットに挿入されたメモリカード（不図示）に対してアクセス不可となる。
【００２５】
以上に説明したように、複数のカードスロットが並べて配置された、本実施形態に係る電子機器では、カード蓋１の撓み強度をカード蓋１に補強用のリブ５を設けることによって向上させている。これにより、開閉検知スイッチ１５を動作させる補強用のリブ５のリブ先端部６の位置がずれることなく安定させることができるため、カード蓋１の開閉動作に伴う開閉検知スイッチ１５の動作不良が起こり難く、確実にカード蓋１の開閉検知を行うことができる。
【００２６】
以上、本発明をその好適な実施形態に基づいて詳述してきたが、本発明はこれら特定の実施形態に限られるものではなく、この発明の要旨を逸脱しない範囲の様々な形態も本発明に含まれる。
【００２７】
例えば、上記実施形態では、カードスロットが２つの場合について説明したが、カードスロットの数は３つ以上であってもよい。この場合、複数のカードスロットが並べて配置されていなくとも、カード蓋においてカードスロットの間に対応する位置に補強リブを設け、且つ、補強リブによりＯＮ／ＯＦＦされる開閉検知スイッチをカードスロットが実装されている基板に設ければよい。これにより、上述した実施形態の場合と同様の効果を十分に得ることができる。
【００２８】
また、上記実施形態では、カード蓋１による開口部９の開閉を回動動作によって行うとしたが、これに限られず、例えば、カード蓋のスライド動作によって外装カバーに設けられた開口部の開閉を行う構造とすることも可能である。
【符号の説明】
【００２９】
１    カード蓋
３ａ，３ｂ    カード蓋リブ
５    補強リブ
８    外装カバー
９    開口部
１０    ホルダー
１１    スリット
１２    スリット穴
１３ａ，１３ｂ    カードスロット
１４    基板
１５    開閉検知スイッチ
３０    リブ
【図１】
2012129620.tif 000003
【図２】
2012129620.tif 000004
【図３】
2012129620.tif 000005
【図４】
2012129620.tif 000006
【図５】
2012129620.tif 000007
【図６】
2012129620.tif 000008
【図７】
2012129620.tif 000009